(57)【要約】【課題】  オーディオビデオジャックの先端へ外部から針金などの異物を挿入され、このオーディオビデオジャックの後方の電子機器内にその異物が挿通され感電することを防止する防壁構造を備えたオーディオビデオジャックを提供することを目的とする。【解決手段】  オーディオビデオジャック１０は端子部１２を有し、その端部に、端子部１２と一体的にハウジング１６が設けられている。ハウジング１６の後部に防壁部２０を設け、オーディオビデオジャック１０の端子部１２から針金などの異物が挿入された際、この異物がオーディオビデオジャック１０の後方の電子機器１内に挿通されることを遮断する。これにより、オーディオビデオジャック１０を備えた電子機器１が通電状態にある際、その内部に異物が挿入されることを回避できるので、感電の懸念のある装置に異物を接触させ、感電するといった危険を回避できるので安全性に優れる。【選択図】      図５
2005285662.tif 000002
【特許請求の範囲】
【請求項１】
外周面に導電性を有する導体を外装した筒型の外装接続端子部と、この外装接続端子部の内周に形成された絶縁内周部と、この絶縁内周部より突き出た導電性を有する突出片と、前記外装接続端子部の軸線方向の一方の端部に一体的に設けられた前後方向に貫通された空洞部の設けられたハウジングとを有するオーディオビデオジャックを備えた電子機器であって、前記電子機器の外形を形成するキャビネットから外部に臨む位置に前記オーディオビデオジャックの先端側を配置させ、このオーディオビデオジャックの前記ハウジングの後部に前記電子機器の外部から異物が挿入されることを防止する防壁部を設けたことを特徴とする異物挿入防止構造を備えた電子機器。
【請求項２】
前記防壁部は、前記ハウジングに一体的に設けられた金属製の折り曲げ片であることを特徴とする請求項１記載の異物挿入防止構造を備えた電子機器。
【請求項３】
前記ハウジングの後部に防壁部を一体に形成したことを特徴とする請求項１記載の異物挿入防止構造を備えた電子機器。
【請求項４】
前記ハウジングに係止孔を形成すると共に、この係止孔に係止する係止爪を前記防壁部に一体に設けたことを特徴とする請求項１記載の異物挿入防止構造を備えた電子機器。
【請求項５】
外装接続端子部の軸線方向と直交する横方向に複数連続して前記オーディオビデオジャックを一体的に設けたことを特徴とする請求項１〜４記載の何れか１項に記載の異物挿入防止構造を備えた電子機器。
【請求項６】
前記オーディオビデオジャックは、前記電子機器内に設けられた回路基板に取り付けられていることを特徴とする請求項１〜５記載の何れか１項に記載の異物挿入防止構造を備えた電子機器。
【発明の詳細な説明】
【技術分野】
【０００１】
本発明は、オーディオビデオ機器などの電子機器に設けられている音声や画像信号の入出力される異物挿入防止構造を備えた電子機器に関し、特に、接続ケーブルの端部に設けられた接続プラグの接続されるオーディオビデオジャックの前部の端子部側から、子供などが悪戯により導電性を有する針金等の異物を挿入させ、電子機器内に設けられた感電の危険のある高電圧の印加されている装置や部品などの部位に針金などの異物を接触させ、感電することや電子機器内に内蔵された各種電子部品に異物が接触され、電子機器が故障することを防止する異物挿入防止構造を備えた電子機器に関する。
【背景技術】
【０００２】
従来から用いられているオーディオビデオ機器などの各種電子機器には、一般的に、これらの電子機器に対し、外部から音声や画像の信号を入出力するために、端部にプラグの設けられた接続ケーブルやイヤホンを接続するための端子部を有するオーディオビデオジャックが、電子機器の背面や前面に外部から接続可能に配置されている。
【０００３】
ところで、このような電子機器においては、一般的に使用の対象者を大人としている機器が多く、例えば、子供などがこれらの電子機器を悪戯することを、前提として使用者に提供されているものではない。よって、正常な所定の使用をしなければ、電子機器が故障を起こしたり、或いは、電子機器が家庭用電源に通電状態にある場合においては、感電を引き起こすなど不測の事態に陥ることもないとは言い切れない。このような課題を解決するために、例えば、特許文献１には、電子機器に備えられる電源基板の１次活電部である電源１次側にふれることを防止するために、ジャックの後面にバリアー基板を配置し、このバリアー基板により、ジャックに挿入されたピンなどの異物を、その後方に有する電源１次側に接触されることを防止するものが開示されている。
【０００４】
ところで、一般的に用いられているイヤホンの端部に設けられているイヤホンジャックは、その後面が塞がっているが、その理由として、イヤホンジャックの端子は、音声（右）、音声（左）、アースに分かれていることから、３つの端子が設けられていることで、その内部構造が複雑となり、構造的に強度を保つために必然的にジャックの後面を塞ぐ必要がある。これに対し、いわゆるピンジャックなどの外部に露出された端子部を有するオーディオビデオジャックは、端子部と一体的に形成されたハウジングに対し、端子部が圧入されて一体的に組み立てられる構造となっているので、組み立て工程上の理由から、どうしてもオーディオビデオジャックの後面であるハウジングの後部を開口させておく必要があった。また、従来の電子機器に設けられている回路基板においては、オーディオビデオジャックの後面であるハウジングの後部に、図１０に示す従来の電子機器１０１に備えられた回路基板１３０のように、オーディオビデオジャック１１０の後方に感電の懸念のある装置１０６が配置されている際には、オーディオビデオジャック１１０の先端である端子部から挿入された異物が、感電の懸念のある装置に接触することがないように、仕切り板１００を、オーディオビデオジャック１１０の後方の回路基板１３０上に設け、電子機器１０１内に異物の挿入されることを防止していた。
【０００５】
【特許文献１】実開平５−２３４６３号公報
【発明の開示】
【発明が解決しようとする課題】
【０００６】
しかし、後面が開口されている従来のオーディオビデオジャックなどにおいては、プラグの接続される端子部が中空の筒型に形成されていることから、端子部にプラグが接続されていないと、接続部の先端から、ゴミや埃、或いは針金が入ってしまい、その後方に配置されている電子機器内の回路基板に設けられている感電の危険のある装置などの部位に異物が接触され感電する懸念があった。また、オーディオビデオジャックの後方に、異物の挿入されることを防止する仕切り板を配置されているものでは、回路基板には、図示はしないが各種電子部品が数多く実装されており、回路基板上の配置に制約が多くなってしまい、基板本体を大きめに設計せざるを得なかった。
【０００７】
本発明は上記課題を鑑みてなされたものであり、ＡＶ（オーディオビデオ）機器などの電子機器に設けられるオーディオビデオジャックの後部に防壁部を設け、外部からオーディオビデオジャックに針金などの異物を挿入され、このオーディオビデオジャックの後方に配置されている電子機器内の感電の危険のある部位や装置などに異物が接触されることを防止すると共に、回路基板への各種電子部品の配置を容易に行える自由度の高い異物挿入防止構造を備えた電子機器を提供することを目的とする。
【課題を解決するための手段】
【０００８】
請求項１に係る異物挿入防止構造を備えた電子機器は、外周面に導電性を有する導体を外装した筒型の外装接続端子部と、この外装接続端子部の内周に形成された絶縁内周部と、この絶縁内周部より突き出た導電性を有する突出片と、前記外装接続端子部の軸線方向の一方の端部に一体的に設けられた前後方向に貫通された空洞部の設けられたハウジングとを有するオーディオビデオジャックを備えた電子機器であって、前記電子機器の外形を形成するキャビネットから外部に臨む位置に前記オーディオビデオジャックの先端側を配置させ、このオーディオビデオジャックの前記ハウジングの後部に前記電子機器の外部から異物が挿入されることを防止する防壁部を設けたことを特徴とする。
【０００９】
請求項１の構成によれば、電子機器の外部から、オーディオビデオジャックに針金などの異物が挿入されたとしても、オーディオビデオジャックのハウジングの後部に、異物が挿入されることを防止する防壁部が設けられているので、電子機器内への異物の挿入を確実に遮断することができる。従って、例えば、異物が挿入され、電子機器の内部に設けられている高電圧の印加されている感電の懸念のある装置や部品に接触して感電することを回避することができる。さらに、従来のように、電子機器内への異物の挿入を防止する部材などが、電子機器内に設けられた回路基板に設けられていないので、回路基板のレイアウトの制約が無くなり、従来の回路基板の大きさより小さくできるので、低コスト化を図ることができる。
【００１０】
請求項２に係る異物挿入防止構造を備えた電子機器は、請求項１記載の異物挿入防止構造を備えた電子機器において、前記防壁部は、前記ハウジングに一体的に設けられた金属製の折り曲げ片であることを特徴とする。
【００１１】
請求項２の構成によれば、折り曲げ片を低コストな金属製としたので、安価な異物挿入防止構造を備えた電子機器を提供することができる。また、折り曲げ片は金属製であるので、可塑性を有するので、折り曲げ片の折り曲げ加工を容易におこなうことができる。
【００１２】
請求項３に係る異物挿入防止構造を備えた電子機器は、請求項１記載の異物挿入防止構造を備えた電子機器において、前記ハウジングの後部に防壁部を一体に形成したことを特徴とする。
【００１３】
請求項３の構成によれば、ハウジングと防壁部が一体に形成されるから、金型などによりハウジングと防壁部を一括して成形することができるので、製造工程における時間を短縮化することができる。
【００１４】
請求項４に係る異物挿入防止構造を備えた電子機器は、請求項１記載の異物挿入防止構造を備えた電子機器において、前記ハウジングに係止孔を形成すると共に、この係止孔に係止する係止爪を前記防壁部に一体に設けたことを特徴とする。
【００１５】
請求項４の構成によれば、ハウジングの係止孔に防壁部の係止爪を係止することにより、ハウジングに防壁部を着脱自在に取り付けることができる。
【００１６】
請求項５に係る異物挿入防止構造を備えた電子機器は、請求項１〜４記載の何れか１項に記載の異物挿入防止構造を備えた電子機器において、外装接続端子部の軸線方向と直交する横方向に複数連続して前記オーディオビデオジャックを一体的に設けたことを特徴とする。
【００１７】
請求項５の構成によれば、複数のオーディオビデオジャックが横方向に設けられていることで、近年普及している高さの低いオーディオビデオ機器などの電子機器の背面側又は正面側に、このオーディオビデオジャックを取り付ける必要が生じた際、オーディオビデオジャックが横方向に連続して設けられていることで、高さの低い薄型化された電子機器であっても、このオーディオビデオ機器の高さ内に収まるように配置することができる。
【００１８】
請求項６に係る異物挿入防止構造を備えた電子機器は、請求項１〜５記載の何れか１項に記載の異物挿入防止構造を備えた電子機器において、前記オーディオビデオジャックは、前記電子機器内に設けられた回路基板に取り付けられていることを特徴とする。
【００１９】
請求項６の構成によれば、オーディオビデオジャックが回路基板に取り付けられている状態において、従来の電子機器のように、異物が電子機器の外部からオーディオビデオジャック介して電子機器内に挿入され感電などの危険を回避するための仕切り板が、回路基板上に設けられることなく、回路基板に取り付けられたオーディオビデオジャックに電子機器内への異物の挿入を防止する防壁部が設けられているので、電子機器内の回路基板上に仕切り板を設けずに済むので、回路基板上のレイアウトの制約が無くなり、回路基板上への各種電子部品などの配置の自由度が向上する。さらに、仕切り板が回路基板上に設けられていないことで、回路基板を従来の回路基板より、その大きさを小さくすることができるので、回路基板を小さくしたことにより低コスト化を図ることができる。よって、小型化且つ安価な電子機器を提供することができる。
【発明の効果】
【００２０】
請求項１に係る異物挿入防止構造を備えた電子機器の発明によれば、外周面に導電性を有する導体を外装した筒型の外装接続端子部と、この外装接続端子部の内周に形成された絶縁内周部と、この絶縁内周部より突き出た導電性を有する突出片と、前記外装接続端子部の軸線方向の一方の端部に一体的に設けられた前後方向に貫通された空洞部の設けられたハウジングとを有するオーディオビデオジャックを備えた電子機器であって、前記電子機器の外形を形成するキャビネットから外部に臨む位置に前記オーディオビデオジャックの先端側を配置させ、このオーディオビデオジャックの前記ハウジングの後部に前記電子機器の外部から異物が挿入されることを防止する防壁部を設けたものであり、防壁部により電子機器内への異物の挿入を確実に遮断することができるから安全性に優れる。さらに、回路基板のレイアウトの制約が無いことで、従来の回路基板の大きさより小さくできるので、低コスト化を図ることができる。
【００２１】
請求項２に係る異物挿入防止構造を備えた電子機器は、請求項１において、前記防壁部は、前記ハウジングに一体的に設けられた金属製の折り曲げ片であるから、安価な金属製の折り曲げ片を用いることで、安価な異物挿入防止構造を備えた電子機器を提供することができる。また、折り曲げ片は金属製であるので、折り曲げ片の折り曲げ加工を容易におこなうことができるので、生産性を向上することができる。
【００２２】
請求項３に係る異物挿入防止構造を備えた電子機器の発明によれば、請求項１において、前記ハウジングの後部に防壁部を一体に形成したものであり、ハウジングと防壁部を一括して成形することができるので、製造工程における時間を短縮化することができるので、生産性が向上する。さらに、ハウジングの後部に防壁部が形成されているから、防壁部の設けられたオーディオビデオジャックであるか否かを目視により容易に確認できる。
【００２３】
請求項４の異物挿入防止構造を備えた電子機器の発明によれば、請求項１において、前記ハウジングに係止孔を形成すると共に、この係止孔に係止する係止爪を前記防壁部に一体に設けたものであり、ハウジングに防壁部を着脱自在に容易に取り付けることができるので作業性が向上する。
【００２４】
請求項５の異物挿入防止構造を備えた電子機器の発明によれば、請求項１〜４記載の何れか１項において、外装接続端子部の軸線方向と直交する横方向に複数連続して前記オーディオビデオジャックを一体的に設けたものであり、高さの低い薄型化されたオーディオビデオ機器などの電子機器であっても、この電子機器の高さ内に収まるようにオーディオビデオジャックを配置することができるので汎用性に優れる。
【００２５】
請求項６の異物挿入防止構造を備えた電子機器の発明によれば、請求項１〜５記載の何れか１項において、前記オーディオビデオジャックは、前記電子機器内に設けられた回路基板に取り付けられているものであり、異物が挿入され感電などの危険を回避するための仕切り板が、回路基板上に設けられていないので、回路基板上のレイアウトの制約が無くなり、回路基板上への各種電子部品などの配置の自由度が向上する。さらに、従来の電子機器のように、仕切り板が回路基板上に設けられていないことで、回路基板を小さくすることができるので、低コスト化を図ることができる。よって、小型化且つ安価な電子機器を提供することができる。
【発明を実施するための最良の形態】
【００２６】
以下、本発明を実施するための最良の形態としての実施例を図１〜図９により以下に説明する。もちろん、本発明は、その発明の趣旨に反しない範囲で、実施例において説明した以外の構成のものに対しても容易に適用可能なことは説明を要するまでもない。
【実施例１】
【００２７】
図１は、本実施例における異物挿入防止構造を備えた電子機器の一例を示す分解斜視図であり、図２は電子機器内に備えられた回路基板の配置構成を示す概略平面図である。図３は本実施例におけるオーディオビデオジャックの正面図であり、図４は、オーディオビデオジャックの側面図であり、図５は、オーディオビデオジャックの平面図である。
【００２８】
図１に示す、１は電子機器であり、この電子機器１には、外形がキャビネット２により形成されているもので、キャビネット２は、フロントキャビネット３とバックキャビネット４からなり、後述する回路基板３０が、キャビネット２に図示しないネジなどにより取り付けられるものである。また、回路基板３０には、オーディオビデオジャック１０が設けられていて、キャビネット２に形成された開口孔５から外部に望む位置にオーディオビデオジャック１０の先端側（図４に示す左側）である端子部１２が挿通されて外部に突出され配置されるようになっている。また、回路基板３０上のオーディオビデオジャック１０の後方には、電子機器１が通電状態にある際、接触すると感電する危険部分である装置６が配置されている。また、７は画像表示装置であり、回路基板３０と電気的に接続されている。
【００２９】
また、図３や図４などに示すように、オーディオビデオジャック１０には、全体が筒型に形成された端子部１２を有し、この端子部１２は、その外周面に導電性を有する導体を外装した断面円形型の筒型の外装接続端子部１３を備え、外装接続端子部１３の内側である内周面には、合成樹脂などの絶縁性を有する絶縁内周部１４が設けられ、この絶縁内周部１４からさらに内側に向かって突出された導電性を有する突出片１５が設けられている。
【００３０】
また、端子部１２の軸線方向の一方の端部には、この端子部１２と一体的に設けられた合成樹脂からなるハウジング１６が設けられている。なお、このハウジング１６内には、前後方向（図４に示す横方向）に貫通された空洞部１７が設けられていて、ハウジング１６の側部には対向して後述する防壁部の係止爪が係止される１対の係止孔１８，１８が形成されている。
【００３１】
２０は、ハウジング１６の後部に着脱自在に取り付け可能な平板状の防壁部であり、オーディオビデオジャック１０の端子部１２から針金などの異物が挿入された際、この異物がオーディオビデオジャック１０の後方に挿通され装置６に異物が接触することを遮断するものである。また、この防壁部２０には、図５に示すように、前述した１対の係止孔１８，１８に係止された１対の係止爪２１，２１が防壁部２０と一体に設けられている。そして、係止爪２１，２１を係止孔１８，１８に係止させ、防壁部２０によりハウジング１６の後部が、隙間無く完全に塞がれている。一方、ハウジング１６の前部には、端子部１２がかしめるなどして一体的に設けられている。このように、ハウジング１６の前部に端子部１２が設けられている状態においては、オーディオビデオジャック１０の前側は、端子部１２の軸線方向の中央を除いて、外部から埃などが入ることが無いように形成されている。
【００３２】
また、ハウジング１６の下端には、このハウジング１６の下方に向かって突設した係合突起２５，２５がハウジング６と一体に形成されていて、この係合突起２５，２５は、回路基板３０に形成された孔部３１に挿入されオーディオビデオジャック１０が固定されるものである。
【００３３】
また、前記ハウジング１６の空洞部１７には、外装接続端子部１３と接続された導電性を有する第１の導電板３２が設けられていて、第１の導電板３２の先端は、ハウジング１６の空洞部１７から下方に突設して設けられている。また、絶縁内周部１４から僅かに突設された突出片１５は、第２の導電板３３と接続されていて、前記外装接続端子部１３と同様に、第２の導電板３３の先端がハウジング１６の空洞部１７から下方に突設されて設けられている。このように、本実施例におけるオーディオビデオジャック１０は、第１、第２の導電板３２、３３の先端が、回路基板３０の回路パターンなどに半田付けなどにより接続される電極が２つある２極化された構造となっている。
【００３４】
以上のように、本実施例によれば、異物挿入防止構造を備えた電子機器１は、外周面に導電性を有する導体を外装した筒型の外装接続端子部１３と、この外装接続端子部１３の内周に形成された絶縁内周部１４と、この絶縁内周部１４より突き出た導電性を有する突出片１５と、外装接続端子部１３の軸線方向の一方の端部に一体的に設けられた前後方向に貫通された空洞部１７の設けられたハウジング１６とを有するオーディオビデオジャック１０を備えた電子機器１であって、電子機器１の外形を形成するキャビネット２から外部に臨む位置にオーディオビデオジャック１０の先端側を配置させ、このオーディオビデオジャック１０のハウジング１６の後部に電子機器１の外部からキャビネット２内に異物が挿入されることを防止する防壁部２０を設けたものであり、電子機器１の外部から、オーディオビデオジャック１０の端子部１２に針金などの異物が挿入されたとしても、オーディオビデオジャック１０のハウジング１６の後部に、異物が挿入されることを防止する防壁部２０が設けられているので、電子機器１内への異物の挿入を確実に遮断することができる。従って、例えば、異物がオーディオビデオジャック１０に挿入され、電子機器１の内部であるキャビネット２内に設けられている高電圧の印加されている感電の懸念のある装置６などや部品に接触して感電することを回避することができるから安全性に優れる、しかも、電子機器１内の部品が破損されることを回避することができる。さらに、従来のように、電子機器内への異物の挿入を防止する部材などが、電子機器内に設けられた回路基板に設けられていないので、本実施例においては、回路基板３０のレイアウトの制約が無くなり、従来の回路基板の大きさより小さくできるので、低コスト化を図ることができる。さらに、電子機器１は、ハウジング１６に係止孔１８を形成すると共に、この係止孔１８に係止する係止爪２１を防壁部２０に一体に設けたので、ハウジング１６の係止孔１８に防壁部２０の係止爪２１を係止することにより、ハウジング１６に防壁部２０を着脱自在に取り付けることができるので、取り付け作業が容易にとなり作業性が向上する。さらに、異物挿入防止構造を備えた電子機器１は、オーディオビデオジャック１０が、電子機器１内に設けられた回路基板３０に取り付けられているものであり、オーディオビデオジャック１０が回路基板３０に取り付けられている状態においては、従来の電子機器のように、異物が電子機器の外部からオーディオビデオジャック介して電子機器内に挿入され感電などの危険を回避するための仕切り板が、回路基板上に設けられることなく、回路基板３０に取り付けられたオーディオビデオジャック１０に電子機器１内への異物の挿入を防止する防壁部２０が設けられているので、電子機器内の回路基板上に仕切り板を設けずに済むので、回路基板３０上のレイアウトの制約が無くなり、回路基板３０上への各種電子部品などの配置の自由度が向上する。さらに、仕切り板が回路基板上に設けられていないことで、回路基板３０を従来の回路基板より、その大きさを小さくすることができるので、回路基板３０を小さくしたことにより低コスト化を図ることができる。よって、小型化且つ安価な電子機器１を提供することができる。
【実施例２】
【００３５】
図７は本発明の実施例２を示したオーディオビデオジャック１の平面図であり、前記実施例１と同一部分には同一符号を付しその詳細な説明を省略する。図４で示したように、実施例１のオーディオビデオジャック１０のハウジング１６の後部には、防壁部２０がハウジング１６と一体的に設けてあるが、実施例２の防壁部としての折り曲げ片２０Ａは、図７に示すように、ハウジング１６の後部と離した状態で、ハウジング１６と一体的になるように、ハウジング１６内の図示しない嵌合部などに差し込むことで取り付けられている。そして、この折り曲げ片２０Ａは、その材質を、低コストな金属製としているので、オーディオビデオジャック１０に防壁部としての折り曲げ片２０Ａを低コストで設けることができるので、オーディオビデオジャック１０が安価となり、これに伴い安価な異物挿入防止構造を備えた電子機器１を提供することができる。また、折り曲げ片２０Ａは金属製であり可塑性を有するので、折り曲げ片２０Ａの折り曲げ加工を容易におこなうことができるのでオーディオビデオジャック１０の生産が容易となり、これを備えた電子機器１の生産性を向上することができる。
【実施例３】
【００３６】
図８は本発明の実施例３を示したものであり、前記実施例１と同一部分には同一符号を付しその詳細な説明を省略する。実施例３におけるオーディオビデオジャック１０は、図８に示すように、ハウジング１６の後部にこのハウジング１６と一体に防壁部２０Ｂを形成したものである。つまり、ハウジング１６と防壁部２０Ｂが一体に形成されるから、金型などによりハウジング１６と防壁部２０Ｂを一括して射出成形などにより成形することができるので、製造工程における時間を短縮化することができ生産性が向上する。さらに、ハウジング１６の後部に防壁部２０Ｂが形成されているから、防壁部２０Ｂの設けられたオーディオビデオジャック１０であるか否かを目視により容易に確認できる。
【実施例４】
【００３７】
図９は本発明の実施例４を示したものであり、前記実施例１と同一部分には同一符号を付しその詳細な説明を省略する。実施例４におけるオーディオビデオジャック１０は、実施例１〜４におけるオーディオビデオジャックにおいて、図９及び図２に示すように、外装接続端子部１３の軸線方向と直交する横方向に複数連続してオーディオビデオジャック１０を一体的に設けたものであり、詳しくは、ハウジング１６の側壁部に凹部４０や凸部４１などを形成し、ブロックのように組み立て可能となるものである。これにより、複数のオーディオビデオジャック１０が横方向に連続して一体的に設けられ、近年普及している高さの低いオーディオビデオ機器、ＨＤＤを備えた記録再生装置、光ディスク用記録再生装置などの電子機器１の背面側又は正面側に、このオーディオビデオジャック１０を取り付ける必要が生じた際があっても、オーディオビデオジャック１０が横方向に連続して設けられていることで、高さの低い薄型化されたオーディオビデオ機器などであっても、このオーディオビデオ機器の高さ内に収まるようにオーディオビデオジャック１０を配置することができるので汎用性に優れる。なお、図９においては、オーディオビデオジャック１０が３つ連続して設けられている一例を示しているが、特にこの数に限定するものではなく、オーディオビデオジャック１０を４つ以上或いは２つ並設してもよく、特にこの数を限定するものではない。
【図面の簡単な説明】
【００３８】
【図１】実施例１における電子機器の構成を示す分解斜視図である。
【図２】同上、電子機器内に備えられた回路基板の配置構成を示す概略平面図である。
【図３】同上、オーディオビデオジャックが回路基板に取り付けらる状態を示す正面図である。
【図４】同上、オーディオビデオジャックの側面図である。
【図５】同上、オーディオビデオジャックの平面図である。
【図６】同上、オーディオビデオジャックの背面図である。
【図７】実施例２におけるハウジングに折り曲げ片が一体的に設けられたオーディオビデオジャックの平面図である。
【図８】実施例３におけるハウジングと防壁部が一体に設けられたオーディオビデオジャックの側面図である。
【図９】実施例４における横方向に複数連続してオーディオビデオジャックが一体的に設けられている状態を示す正面図である。
【図１０】従来例における電子機器内に備えられた回路基板の配置構成を示す概略平面図である。
【符号の説明】
【００３９】
１  電子機器
２  キャビネット
１０  オーディオビデオジャック
１３  外装接続端子部
１４  絶縁内周部
１５  突出片
１６  ハウジング
１７  空洞部
１８  係止孔
２０  防壁部
２０Ａ  折り曲げ片
２０Ｂ  防壁部
２１  係止爪
３０  回路基板
【図１】
2005285662.tif 000003
【図２】
2005285662.tif 000004
【図３】
2005285662.tif 000005
【図４】
2005285662.tif 000006
【図５】
2005285662.tif 000007
【図６】
2005285662.tif 000008
【図７】
2005285662.tif 000009
【図８】
2005285662.tif 000010
【図９】
2005285662.tif 000011
【図１０】
2005285662.tif 000012